(57)【特許請求の範囲】
【請求項１】
所定の圧力を有する水道水等の作動水を動力伝達の媒体としたアクチュエータによって、昇降自在に動作する洗面台であって、
前記洗面台は、
洗面台本体、および
前記洗面台本体の一部に配置され、外方から前記洗面台本体に力が作用したときに前記アクチュエータを作動させるスイッチ手段を包含し、
前記アクチュエータは、前記洗面台本体を鉛直方向に往復動変位可能に支持する支持手段として兼用され、前記作動水により作動するシリンダを包含し、
前記支持手段は、鉛直方向に延びるガイドレールポスト、および、前記シリンダを支持するシリンダ支持部材を包含し、
前記シリンダ支持部材は、前記ガイドレールポストの軸方向に移動可能に配置され、前記シリンダのピストンロッドのストローク範囲の基準位置を適宜変更可能にし、
前記洗面台は、前記ガイドレールポストの軸方向に沿って転動可能なガイドローラを備え、前記洗面台本体を前記ガイドレールポストの軸方向に沿って変位可能に補助的に支持する他の支持手段をさらに包含し、
前記洗面台本体は、
洗面ボール、
前記他の支持手段に配設され、前記洗面ボールを保持する洗面ボール受け台、および
枢軸部により前記洗面ボール受け台に回動自在に接続され、前記洗面ボールおよび前記洗面ボール受け台をカバーするカバー部を含み、
前記枢軸部の回動による前記カバー部の変位によって、前記スイッチ手段が作動することを特徴とする、洗面台。
【請求項２】
前記スイッチ手段は、
Ａポート、ＰポートおよびＲポートを含み、前記アクチュエータの始動および停止を制御する方向制御弁、
前記方向制御弁の前記Ａポートと前記Ｒポートとが連通したときに、前記Ｐポートへの前記作動水の逆流を防止する逆止め弁、
前記方向制御弁の弁棒に接続され、前記方向制御弁の中立位置を切換える切換レバー、および
前記方向制御弁の中立位置を保持するように、前記カバー部を保持する保持手段を包含し、
前記方向制御弁は、前記洗面ボール受け台側に支持され、前記カバー部が変位されることにより、それに連動して、前記切換レバーが切換えられることを特徴とする、請求項１に記載の洗面台。
【請求項３】
前記保持手段は、前記方向制御弁の中立位置を保持するように、前記カバー部を常時付勢する付勢手段を包含し、
前記付勢手段の一端が前記カバー部の端部に係止され、前記付勢手段の他端が前記洗面ボール受け台の端部に係止されることを特徴とする、請求項２に記載の洗面台。
【発明の詳細な説明】
【０００１】
【発明の属する技術分野】
本願発明は、洗面台に関し、特に、使用者の使い勝手に応じて、高さ調節が可能な洗面台に関する。
【０００２】
【従来の技術】
本願発明の背景となる従来の高さ調節可能型の洗面台には、電動シリンダ、空気圧シリンダおよび油圧シリンダ等のアクチュエータを利用したものなどが知られている。
【０００３】
【発明が解決しようとする課題】
しかしながら、このような従来の高さ調節可能型の洗面台には、種々の問題点があった。すなわち、洗面台という環境を考えると、電動シリンダを用いるものは、漏電や感電事故の恐れがあり、それらに対して万全を期する必要性があるが、その対策が簡単なものではなく、万一、漏電や感電事故が起きた場合には、非常に危険である。さらに、電磁波等の悪影響も考慮しなければならない。しかも、電動シリンダを用いるものは、電動機や減速機等の装置が必要となり、装置のイニシャルコストが高くつく上、電力を要するため、ランニングコストも大きくなる。
また、空気圧シリンダおよび空気圧モータを用いるものは、コンプレッサ、空気圧調整ユニット等の空気圧機器が必要となり、それらの設置スペースを確保しなければならず、しかも、騒音が大きい等の問題も発生する。
さらに、油圧シリンダおよび油圧モータを用いるものは、油圧ポンプ、油圧フィルタ、油圧制御弁等の油圧機器が必要となる上、油圧機器から作動油が漏れる、所謂、油漏れの恐れがあり、洗面台という環境を考えると、不具合を生じるものであった。
さらに、上述した種々の装置を用いた高さ調節可能型の洗面台では、高さ調節を作動させるためのスイッチ・操作部を洗面台本体と離れたところに配置している場合が多く、特に、高齢者、身体の不自由な人、子供等の使用者にとっては、操作しにくいものであった。そのため、たとえば車椅子利用者が誤った操作をしたときには、緊急停止することが困難であり、洗面台、洗面ボール内の水および装置等の重量が膝等に圧し掛かり怪我をする恐れがあった。
【０００４】
それゆえに、本願発明の主たる目的は、安全性に優れ、静かで、誰にでも使い勝手のよい経済的な洗面台を提供することである。
【０００５】
【課題を解決するための手段】
請求項１にかかる本願発明の洗面台は、所定の圧力を有する水道水等の作動水を動力伝達の媒体としたアクチュエータによって、昇降自在に動作する洗面台であって、洗面台は、洗面台本体、および洗面台本体の一部に配置され、外方から洗面台本体に力が作用したときにアクチュエータを作動させるスイッチ手段を包含し、上記アクチュエータは、洗面台本体を鉛直方向に往復動変位可能に支持する支持手段として兼用され、上記作動水により作動するシリンダを包含し、上記支持手段は、鉛直方向に延びるガイドレールポストと、上記シリンダを支持するシリンダ支持部材を包含し、シリンダ支持部材は、ガイドレールポストの軸方向に移動可能に配置され、シリンダのピストンロッドのストローク範囲の基準位置を適宜変更可能にし、当該洗面台は、上記ガイドレールポストの軸方向に沿って転動可能なガイドローラを備え、上記洗面台本体を上記ガイドレールポストの軸方向に沿って変位可能に補助的に支持する他の支持手段をさらに包含し、上記洗面台本体は、洗面ボールと、上記他の支持手段に配設され、洗面ボールを保持する洗面ボール受け台と、枢軸部により洗面ボール受け台に回動自在に接続され、洗面ボールおよび洗面ボール受け台をカバーするカバー部とを含み、枢軸部の回動によるカバー部の変位によって、上記スイッチ手段が作動することを特徴とする、洗面台である。
請求項２にかかる本願発明の洗面台は、請求項１にかかる洗面台に従属するものであって、上記スイッチ手段は、Ａポート、ＰポートおよびＲポートを含み、上記アクチュエータの始動および停止を制御する方向制御弁と、方向制御弁のＡポートとＲポートとが連通したときに、Ｐポートへの上記作動水の逆流を防止する逆止め弁と、方向制御弁の弁棒に接続され、方向制御弁の中立位置を切換える切換レバーと、方向制御弁の中立位置を保持するように、上記カバー部を保持する保持手段とを含み、方向制御弁は、上記洗面ボール受け台側に支持され、上記カバー部が変位されることにより、それに連動して、切換レバーが切換えられることを特徴とする、洗面台である。
請求項３にかかる本願発明の洗面台は、請求項２にかかる洗面台に従属するものであって、上記保持手段は、上記方向制御弁の中立位置を保持するように、上記カバー部を常時付勢する付勢手段を含み、付勢手段の一端が上記カバー部の端部に係止され、付勢手段の他端が上記洗面ボール受け台の端部に係止されることを特徴とする、洗面台である。
【０００６】
【作用】
請求項１にかかる本願発明の洗面台では、作動水を動力伝達の媒体として、アクチュエータの作用によって、洗面台が昇降自在に動作する。外方から洗面台本体に力が作用したときに、スイッチ手段が作動する。それによって、アクチュエータが作動し、洗面台が昇降可能となる。
この場合、アクチュエータを作動させるためのスイッチ手段が洗面台本体の一部に配置されるため、従来技術のように、スイッチ・操作部が洗面台本体と離れたところに配置されたものに比べて、その操作性に優れ、使い勝手のよいものとなっている。しかも、スイッチ手段は、外方から洗面台本体に力を作用させるだけで作動するので、使用者が誤って操作したときでも、洗面台本体の一部を触ってスイッチ手段を作動させることが可能となり、それによって、洗面台の昇降動作を緊急停止させることが可能となる。
さらに、洗面台を昇降動作させるための動力源および動力伝達の媒体は、所定の圧力を有する水道水等の作動水を用いる。そのため、請求項１にかかる本願発明の洗面台では、電動シリンダを用いた従来技術に比べて、感電や漏電の恐れがなく、電磁波による悪影響もない。そして、電動機や減速機等の装置も不必要となり、電力も不要となる。また、種々の空気圧機器が必要な空気圧シリンダを用いた従来技術に比べて、騒音が極めて少なく、非常に静かなものとなる。さらに、種々の油圧機器が必要な油圧シリンダを用いた従来技術に比べて、油漏れ等の恐れもなく、洗面台という環境を考えると、非常にクリーンなものとなる。
また、請求項１にかかる本願発明の洗面台では、シリンダの作用により、アクチュエータが洗面台本体を鉛直方向に往復動変位可能に動作する。この場合、シリンダは、洗面台本体を鉛直方向に往復動変位可能にすると共に、洗面台本体を支持する支持手段としての機能を併せ持つものである。
さらに、請求項１にかかる本願発明の洗面台では、シリンダ支持部材により、シリンダが支持される。シリンダ支持部材は、ガイドレールポストの軸方向に沿って移動可能に配置される。そのため、シリンダ支持部材を適宜ガイドレールポストの軸方向の所定の位置に配置することによって、シリンダのピストンロッドのストローク範囲の基準位置が適宜変更可能となる。
さらに、請求項１にかかる本願発明の洗面台では、他の支持手段のガイドローラの作用によって、洗面台本体がガイドレールポストの軸方向に沿って変位する。他の支持手段は、洗面台本体を補助的に支持する機能も有し、この場合、洗面台本体を支持するシリンダの支持機能を援助している。
また、請求項１にかかる本願発明の洗面台では、枢軸部を支点にして、カバー部が回動・変位されることによって、スイッチ手段が作動する。スイッチ手段が作動すると、洗面台は昇降可能となる。
請求項２にかかる本願発明の洗面台では、方向制御弁の作用によって、アクチュエータの始動および停止が制御される。また、逆止め弁の作用によって、方向制御弁のＡポートとＲポートとが連通したときに、Ｐポートへの作動水の逆流が防止される。保持手段の作用により、方向制御弁の中立位置を保持するように、カバー部が保持される。この場合、カバー部が変位されると、切換レバーは、その変位に連動して、方向制御弁の中立位置から適宜切換えられる。そのため、洗面台の昇降が動作される。
請求項３にかかる本願発明の洗面台では、付勢手段の作用により、方向制御弁の中立位置を保持するように、カバー部が常時付勢される。この場合、カバー部が変位され、方向制御弁が作動し、それによって、洗面台の昇降動作が終了した後は、付勢手段の付勢力によって、カバー部が元の状態の位置に復帰する。このとき、方向制御弁は、元の中立位置を維持するため、洗面台を昇降させるアクチュエータの始動を停止させる。
【０００７】
本願発明の上述の目的，その他の目的，特徴および利点は、図面を参照して行う以下の発明の実施の形態の詳細な説明から一層明らかとなろう。
【０００８】
【発明の実施の形態】
【実施例】
図１は、本願発明にかかる洗面台の一例を示す斜視図であり、図２は、図１に示す実施例の洗面台を背面側からみたときの要部斜視図である。図３は、図１に示す実施例の洗面台の要部側面図解図であり、図４は、図３の要部を分解した側面図解図である。
【０００９】
洗面台１０は、特に、たとえば図４に示すように、洗面台本体１２を含む。洗面台本体１２は、所定の形状の洗面ボール１４を含み、洗面ボール１４は、洗面ボール受け台１６で保持される。さらに、洗面ボール受け台１６で保持された洗面ボール１４は、カバー部１８によりカバーされる。
【００１０】
本実施例では、特に、たとえば図３に示すように、洗面ボール受け台１６とカバー部１８とが、ピン等で形成された枢軸部１３により回動自在に接続される。この場合、特に、図４に示すように、洗面ボール受け台１６およびカバー部１８は、それぞれ、その背面側寄りの側面部の所定位置に、たとえば円形の貫通孔１７および貫通孔１９を有する。そして、洗面ボール１４、洗面ボール受け台１６およびカバー部１８を組込まれたときに、貫通孔１７，１９に枢軸部１３が配置される。
【００１１】
洗面台本体１２は、支持手段によって、鉛直方向に往復直線運動変位可能に支持される。支持手段は、所定の圧力を有する作動水を動力伝達の媒体としたアクチュエータ２０を含む。本実施例では、作動水として、たとえば０．３ＭＰａ〜０．５ＭＰａ程度の圧力を有する水道水が用いられる。また、アクチュエータ２０には、たとえば出力変位が直線形の往復動形アクチュエータ、この場合、シリンダ等が用いられる。つまり、本実施例では、水道水を駆動源とした水圧シリンダによりアクチュエータ２０が構成されている。なお、本実施例の説明では、便宜上、以下、アクチュエータ２０をシリンダ２０と表記する。
【００１２】
また、支持手段は、たとえば図１，図２に示すように、鉛直方向に延び設けられるたとえば２本のガイドレールポスト２２，２４を含む。２本のガイドレールポスト２２，２４は、水平方向に所定の間隔を隔てて平行に対向配置され、且つ、垂直に立ち設けられる。本実施例では、２本のガイドレールポスト２２，２４が、たとえば所望の場所の壁面Ｗに配設される。
【００１３】
すなわち、本実施例では、上ブラケット２６および下ブラケット２８により、２本のガイドレールポスト２２，２４が壁面Ｗに支持される。上ブラケット２６および下ブラケット２８は、それぞれ、２本のガイドレールポスト２２，２４を支持するための横梁部材としての機能を有する。上ブラケット２６および下ブラケット２８は、それぞれ、鉛直方向に所定の間隔を隔てて、壁面Ｗに水平に配設される。上ブラケット２６および下ブラケット２８は、それぞれ、その長さ方向の両側がボルト等の取付・固定手段３０により、壁面Ｗに取外し可能に取付けられ固定される。
【００１４】
なお、本実施例では、上ブラケット２６および下ブラケット２８が横長矩形状に形成され、特に、下ブラケット２８は、その長さ方向の中央部に、たとえば平面視逆Ｕ字状の切欠き部２８ａを有する。この切欠き部２８ａは、上記シリンダ２０の取付位置を変更するときに、シリンダ２０の下端部が下ブラケット２８に当たって不都合が生じないようにするための機能を有するものである。
【００１５】
２本のガイドレールポスト２２，２４の軸方向の上端部は、上ブラケット２６の下面に、溶接等の固着手段により固着される。そして、２本のガイドレールポスト２２，２４の軸方向の下端部は、２本のガイドレールポスト２２，２４が振れないようにするために、下ブラケット２８に支持される。この支持方法としては、たとえば、下ブラケット２８に貫通孔ないし有底穴を設け、その貫通孔ないし有底穴に２本のガイドレールポスト２２，２４を挿通して支持するようにしてもよい。この場合、下ブラケット２８は、上ブラケット２６のように２本のガイドレールポスト２２，２４に固着されない。そのため、下ブラケット２８は、取付・固定手段３０を取外すことによって、その取付・固定位置を鉛直方向に適宜変更することができる。
【００１６】
２本のガイドレールポスト２２，２４の軸方向の中間部には、その軸方向に沿って、摺動可能なシリンダ支持ブラケット３２が配置される。シリンダ支持ブラケット３２は、シリンダ２０を支持するシリンダ支持部材としての機能を有し、たとえば図１，図２に見て、横長矩形状の支持ブラケット本体３４を含む。支持ブラケット本体３４は、その長手方向の両側に分離可能な割子部３６および割子部３８を有する。
【００１７】
支持ブラケット本体３４とその両側の割子部３６，３８との境界部には、２本のガイドレールポスト２２，２４の軸方向に沿って、支持ブラケット本体３４を移動可能に取付けるためのたとえば断面円形状の嵌合・支持部４０，４２が形成される。この場合、支持ブラケット本体３４と両側の割子部３６，３８との対向部には、支持ブラケット本体３４と割子部３６，３８とを組合わせたときに、断面円形状の嵌合・支持部４０，４２を構成するための凹部４４，４６が形成される。
【００１８】
シリンダ支持ブラケット３２と一方の割子３６との間には、ガイドレールポスト２２が挟み込まれ、シリンダ支持ブラケット３２と他方の割子３８との間には、ガイドレールポスト２４が挟み込まれる。そして、ボルト等の締結手段４８により、シリンダ支持ブラケット３２と２つの割子３６，３８とを締付けることによって、シリンダ支持ブラケット３２は、２本のガイドレールポスト２２，２４の軸方向に沿って、上下位置自在に取付けられる。
【００１９】
また、シリンダ支持ブラケット３２の支持ブラケット本体３４は、その長さ方向の中央部に、シリンダ２０を係止・支持するための係止・支持孔部５０を備える。係止・支持孔部５０は、支持ブラケット本体３４を貫通するたとえば円形状の孔により構成される。
【００２０】
一方、本実施例では、シリンダ２０は、そのシリンダ本体２０Ａの外周部に首部２１を有する。首部２１は、たとえばシリンダ本体２０Ａの一部に、上記係止・支持孔部５０を構成する孔の直径よりも大きい外形を有する鍔部を設けることにより形成される。
【００２１】
シリンダ２０は、シリンダ支持ブラケット３２の係止・支持孔部５０に上方から挿入され、首部２１部分が係止・支持孔部５０で係止されることにより支持される。すなわち、本実施例では、シリンダ２０をシリンダ支持ブラケット３２に機械要素等で締結・固定せずに、上述の係止・支持構造とすることにより、シリンダ２０は、シリンダ支持ブラケット３２から容易に取外し可能となる。
【００２２】
なお、シリンダ２０のピストンロッド２０Ｂには、その先端部に、たとえば円筒状のロッドキャップ２０Ｃが配設される。このロッドキャップ２０Ｃは、その軸方向の長さを変更することによって、その長さ分に応じて、ピストンロッド２０Ｂの軸方向の長さを適宜調整することができる。
【００２３】
洗面台１０は、洗面台本体１２を鉛直方向に往復直線運動変位可能に支持するための他の支持手段をさらに含む。他の支持手段は、シリンダ２０の洗面台本体１２の支持機能を支援するために、洗面台本体１２を２本のガイドレールポスト２２，２４の軸方向に沿って変位自在に補助的に支持するものである。
他の支持手段は、図２，図３および図４等に示すように、たとえば２つのガイドローラ部５２，５４を含む。２つのガイドローラ部５２，５４は、洗面台本体１２の背面側でその長手方向に所定の間隔を隔てて配置される。２つのガイドローラ部５２，５４は、横桟５５により洗面台本体１２の背面側に支持される。
【００２４】
２つのガイドローラ部５２，５４は、ほぼ同様の構造を有するので、一方のガイドローラ部５２について詳しく説明する。
すなわち、ガイドローラ部５２は、たとえばローラ支持部５６を含む。ローラ支持部５６は、横方向に間隔を隔てて対向配置されるたとえば２つのブラケット板５８ａ，５８ｂを含む。２つのブラケット板５８ａ，５８ｂは、洗面ボール受け台１６の背面側でその長手方向の一方側に配設される。２つのブラケット板５８ａ，５８ｂの上下両側の端部間には、前ガイドローラ６０ａおよび後ガイドローラ６０ｂが回動自在に配置される。
【００２５】
前ガイドローラ６０ａおよび後ガイドローラ６０ｂは、ガイドレールポスト２２の軸線を対称にして、ガイドレールポスト２２の前面側および背面側に当接して転動可能に配置される。前ガイドローラ６０ａおよび後ガイドローラ６０ｂは、それぞれ、ガイドローラ軸６２ａおよび６２ｂにより回動自在に、ブラケット板５８ａ，５８ｂ間に配設される。
【００２６】
また、洗面台本体１２の背面側には、たとえば平面視矩形状の当て板部６４が配設される。当て板部６４は、その長さ方向の一端側，他端側に配置された保持ブラケット６６，６８によって、洗面ボール受け台１６の背面側でその長手方向の中央部に配設される。さらに、当て板部６４の上面には、フック部７０が配設され、フック部７０の上方には、上ブラケット２６の下面に別のフック部７２が配設される。別のフック部７２は、上ブラケットの長さ方向の中央部に配設され、当て板部６４のフック部７０と同一軸上に配置される。そして、フック部７０と別のフック部７２との間には、図１，図１６，図２０等に示すように、適宜、チェーン等の吊下げ具７４が掛け設けられる。
【００２７】
当て板部６４は、シリンダ２０が作動し、ピストンロッド２０Ｂが往復動したときに、そのロッドキャップ２０Ｃにより押圧支持される。シリンダ２０が作動してピストンロッド２０Ｂが上昇したとき、当て板部６４は、ロッドキャップ２０Ｃにより突き上げられ、洗面台本体１２が上昇する。そして、ピストンロッド２０Ｂが下降したときには、洗面台本体１２は、その自重でピストンロッド２０Ｂを押し下げて下降する。
【００２８】
すなわち、シリンダ２０は、洗面台本体１２をガイドレールポスト２２，２４の軸方向に沿って、往復動自在に作動させる作動手段としての機能を有し、且つ、往復動変位可能に洗面台本体１２を支持する支持手段としての機能も兼用するものである。
さらに、洗面台本体１２は、シリンダ２０だけでなく、ガイドローラ部５２，５４によっても、案内・支持される。そのため、洗面台本体１２は、撓みのないより安定した状態で支持される。
【００２９】
この場合、２つのガイドローラ部５２，５４は、シリンダ２０のピストンロッド２０Ｂと協働して、洗面台本体１２をガイドレールポスト２２，２４の軸方向に沿って変位可能に補助的に支持するための補助的支持手段の機能を有するものである。
【００３０】
なお、２つのガイドローラ部５２，５４は、それらの前ガイドローラ６０ａ，６０ｂがガイドレールポスト２２，２４の軸線と対称な位置に配置されているため、洗面台本体１２の前側下方への荷重によって、洗面ボール受け台１６自体の回動が起きて不都合が生じさせない機能も有している。
【００３１】
次に、シリンダ２０を作動させるスイッチ手段について、図３，図４，図５，図６，図７および図８〜図１１等を参照しながら説明する。
スイッチ手段は、たとえば図３，図６，図７および図８に示すように、シリンダ２０の始動および停止を制御する方向制御弁８０を含む。方向制御弁８０は、Ａポート８２、Ｐポート８４およびＲポート８６を含む。Ａポート８２は、シリンダ本体２０Ａのシリンダチューブ室２０ａ内に、管路８８を介して接続される。Ｐポート８４には、管路９０を介して、水道水が流入可能となる。Ｒポート８６には、排水管９２が接続される。本実施例では、方向制御弁８０の一例として、Ａポート８２、Ｐポート８４およびＲポート８６のポートを有するたとえば３方弁が用いられる。
【００３２】
また、本実施例では、方向制御弁８０に逆止め弁９４が内蔵される。逆止め弁９４は、作動水がＡポート８２およびＲポート８６間で連通されたときに、Ｐポート８４への作動水の逆流を防止する機能を有するものである。逆止め弁９４は、例えば球状の弁体９４ａを含み、弁体９４ａは、作動水の流路を塞ぐ方向に、常時、弁ばね９５により押圧・付勢される。
【００３３】
さらに、方向制御弁８０には、その弁棒９６および９８に接続され、方向制御弁８０の中立位置を切換えるための切換レバー１００が配設される。切換レバー１００は、弁棒９６および弁棒９８に接続されるたとえば矩形板状のレバー本体１０２を含む。レバー本体１０２は、その長手方向の一方側にＰポート８４側の弁棒９６が接続され、その長手方向の他方側にＲポート８６側の弁棒９８が接続される。レバー本体１０２の長手方向の中央部は、軸部１０４によって、方向制御弁のハウジング部８０Ａに回動自在に支持される。レバー本体１０２には、その長手方向の中央部に略直角に接続される作動アーム１０６が形成される。
【００３４】
また、Ｐポート８４側の弁棒９６およびＲポート８６側の弁棒９８は、それぞれ、作動水の流路を塞ぐ方向に、常時、弁ばね９７および９９で押圧・付勢される。そのため、弁棒９６および弁棒９８の軸方向の先端側に配置された弁体９６ａおよび９８ａは、それぞれ、作動水の流路を塞ぐ。
【００３５】
図８，図９に示す方向制御弁８０の作動状態では、逆止め弁９４の弁体９４ａ、方向制御弁８０の弁体９６ａおよび９８ａがそれぞれ作動水の流路を塞いだ状態となっている。そのため、シリンダ２０のピストンロッド２０Ｂに負荷がかかっても、Ａポート８２およびＲポート８６の両方が閉孔されロック状態となる。したがって、洗面台本体１２に負荷がかかっていても、シリンダ２０のピストンロッド２０Ｂはその位置を変えることはない。この場合、たとえば断水時でＰポート８４に作動水が流入されないときでも、このロック状態、つまり、方向制御弁８０の中立位置を維持するものである。
【００３６】
本実施例では、特に、洗面台本体１２の一部であるカバー部１８が、枢軸部１３を支点に回動し、変位したときに、切換レバー１００の作動アーム１０６が作動する。この場合、枢軸部１３が回動するように洗面台本体１２の外方からカバー部１８に力が作用したとき、作動アーム１０６が作動する。
【００３７】
すなわち、本実施例では、特に、たとえば図３，図６，図７に示すように、方向制御弁８０が洗面ボール受け台１６の背面側に配設される。方向制御弁８０は、たとえば断面Ｌ字状の取付ブラケット１０８により、洗面ボール受け台１６の背面側に取付けられる。この場合、取付ブラケット１０８は、その長辺部１０８ａが洗面ボール受け台１６の背面側に取付けられ、その短辺部１０８ｂが方向制御弁８０のハウジング部８０Ａに取付けられる。取付ブラケット１０８の長辺部１０８ａおよび短辺部１０８ｂは、それぞれ、ボルト等の取付手段１１０によって取付けられる。
【００３８】
また、カバー部１８の底面１８ａには、後側寄りに、切換レバー１００の作動アーム１０６を作動させるための当り部材１１２が配設される。当り部材１１２は、矩形状のベース部１１４を含む。ベース部１１４の上には、その一部にたとえばＵ字状の切欠き部１１８を有する当り部１１６が形成される。切欠き部１１８の内側には、切欠き部１１２の周端縁１１６ａと所定の間隔を隔てて、切換レバー１００の作動アーム１０６が配置される。この配置は、方向制御弁８０が中立位置の状態になるように構成したものである。
【００３９】
そして、この中立位置の状態から、カバー部１８が枢軸部１３を支点にして回動した場合、当り部１１６もカバー部１８の回動に連動する。このとき、切換レバー１００の作動アーム１０６は、切欠き部１１２の周端縁１１６ａに当って、軸部１０４を支点にして時計方向ないし半時計方向に揺動する。本実施例では、作動アーム１０６の長手方向の先端に、たとえば球冠状の作動当接片１０７が形成され、この作動当接片１０７が切欠き部１１２の周端縁１１６ａと当接するものである。
【００４０】
一方、洗面台本体１２の前面部側には、特に、たとえば図３および図５に示すように、切換レバー１００の作動アーム１０６が方向制御弁８０を中立位置の状態に保持するための保持手段１２０が配置される。この場合、保持手段１２０は、カバー部１８の僅かな回動運動により、切換レバー１００を操作するための重さを支えるものでもある。
【００４１】
すなわち、保持手段１２０は、付勢手段としてのたとえばバネ１２２を含む。バネ１２２は、その一端側がカバー部１８の前面側１８ｂに係止され、その他端側が洗面ボール受け台１６の前面側１６ａに係止される。
この場合、カバー部１８の前面側１８ｂに、バネ１２２の一端側を係止するための係止片１２４が配設される。係止片１２４は、カバー部１８の前面側１８ｂ内面の所定位置に、たとえばボルトを取着することにより配設される。また、洗面ボール受け台１６の前面側１６ａ外面には、バネ１２２の他端側を係止するための他の係止片１２６が配設される。係止片１２６は、洗面ボール受け台１６の前面側１６ａ外面の所定位置に、たとえばボルトを取着することにより配設される。
【００４２】
バネ１２２は、その一端および他端に、それぞれ、フック部１２２ａおよび１２２ｂを有する。一方のフック部１２２ａは、一方の係止片１２４であるボルトの軸部１２４ａに係止され、他方のフック部１２２ｂは、他方の係止片１２６であるボルトの軸部１２６ａに係止される。したがって、本実施例の洗面台１０では、常時には、洗面ボール受け台１６およびカバー部１８は、バネ１２２の作用により、切換レバー１００の作動アーム１０６が何らの作用もしない中立位置の状態になるように保持される。
【００４３】
さらに、カバー部１８の前面側１８ｂの外面には、たとえば凸部からなる操作部１２８が配設される。操作部１２８は、図５に示すように、たとえば断面略Ｕ字状に形成される。また、操作部１２８は、図１に示すように、カバー部１８の前面側１８ｂ外面の長手方向の一端側から他端側に延び設けられる。本実施例では、洗面台本体１２の一部であるカバー部１８の操作部１２８に力を加えるだけで、枢軸部１３を支点にカバー部１８を変位させ、且つ、それに連動させて、上述の切換レバー１００の作動アーム１０６を変位させることができる。この場合、操作部１２８を下方ないし上方に押圧するだけでよい。
そのため、本実施例の洗面台１０の使用者は、カバー部１８の操作部１２８を上げたり、下げたりするだけで簡単に操作することができる。したがって、高齢者、身体の不自由な人、子供でも、極めて使い勝手の良いものとなる。
【００４４】
次に、本実施例にかかる洗面台１０の動作について、主に、図１，図３，図５，図６および図７および図８〜図１１などを参照しながら説明する。以下には、洗面台本体１２の上昇動作および下降動作を中心に説明する。なお、洗面台１０の初期状態としては、洗面台本体１２が停止した状態、つまり、上述したスイッチ手段が作動しておらず、方向制御弁８０を制御する切換レバー１００が中立位置にある状態になっている。
【００４５】
さて、上述の初期状態から洗面台本体１２を上昇させるためには、図１，図３，図５等に示す洗面台本体１２のカバー部１８前面部に配設された操作部１２８を押し上げることにより、カバー部１８の前面側が枢軸部１３を支点に上に回動する。それに連動して、たとえば図１０に示すように、切換レバー１００の作動アーム１０６が軸部１０４を支点にして、図１０で見て、時計方向に回転する。
【００４６】
このとき、Ｐポート８４側の弁棒９６は、弁ばね９７の付勢力に抗して、その弁体９６ａが弁座９６ｂから離間する方向に変位する。そのため、作動水は、管路９０からＰポート８４、通路１３０，１３２，１３４，１３６へと導入される。通路１３６に導入された作動水は、逆止め弁９４の弁ばね９５の付勢力に抗して、弁体９４ａを弁座９４ｂから離間させる。したがって、作動水は、通路１３６、Ａポート８２および管路８８を通って、シリンダ２０のシリンダチューブ室２０ａへ吐出される。そのため、シリンダ２０のピストンロッド２０Ｂが上方へ変位し、ロッドキャップ２０Ｃが洗面ボール受け台１６の当て板部６４を押し上げる。その結果、洗面台本体１２は、所定の高さまで上昇する。なお、この上昇速度は、作動水の水量および流速等をたとえば水道水の蛇口の開度を調整することにより調整され得る。
操作部１２８の操作を停止すれば、カバー部１８はバネ１２２の付勢力により元の初期状態に復帰する。そのため、方向制御弁８０を制御する切換レバー１００も中立位置に保持され、洗面台本体１２が所定の位置で停止する。
【００４７】
また、上述の初期状態、あるいは、ある所定の位置で停止状態にある洗面台本体１２を下降させるためには、操作部１２８を押し下げることにより、カバー部１８の前面側が枢軸部１３を支点に下に回動する。それに連動して、たとえば図１１に示すように、切換レバー１００の作動アーム１０６が軸部１０４を支点にして、図１１で見て、反時計方向に回転する。
【００４８】
このとき、Ｒポート８６側の弁棒９８は、弁ばね９９の付勢力に抗して、その弁体９８ａが弁座９８ｂから離間する方向に変位する。そのため、作動水は、シリンダ２０のシリンダチューブ室２０ａから、管路８８を介して、Ａポート８２に導入される。この場合、逆止め弁９４の弁体９４ａは、弁座９４ｂに着座されるため、通路１３６への作動水の流入が遮断される。そのため、作動水は、通路１３８，１４０，１４２およびＲポート８６を通って、排水管９２から排水される。そのため、シリンダ２０のピストンロッド２０Ｂが下方へ変位する。このとき、洗面台本体１２は、その自重により、ロッドキャップ２０Ｃを押し下げ、その結果、洗面台本体１２は、所定の高さまで下降する。なお、この下降速度は、Ｒポート８６から排出管９２を通って排水される排出流量および排出流速を調整することにより調整され得る。
操作部１２８の操作を停止すれば、カバー部１８はバネ１２２の付勢力により元の初期状態に復帰する。そのため、方向制御弁８０を制御する切換レバー１００も中立位置に保持され、洗面台本体１２が所定の位置で停止する。
【００４９】
本実施例では、駆動源として、所定の圧力を有するたとえば水道水を利用しているため、電力を必要としない。そのため、感電および漏電の恐れがなく、しかも、電磁波などの影響もない。また、油圧を用いないので、消防法の対策や火災に対する危険性もない。したがって、本実施例の洗面台１０は、非常に安全性の優れたものとなる。
本実施例の洗面台１０は、電動機や減速機等も不要なため、装置のイニシャルコストを低減することができる。また、特別な動力源を必要としないため、装置の小型化が容易となり、駆動源設置のスペースも小さくて済む。さらに、空気圧機器等の騒音源となるものもないので、非常に静かである。そして、作動流体が水道水なので、クリーンである。さらに、洗面台１０の操作については、切換レバー１００を作動させるための操作部１８２の操作だけでよく、且つ、その操作が非常に簡単である。そのため、本実施例の洗面台１０は、極めて使い勝手のよいものとなっている。
【００５０】
なお、作動流体である水道水は、トイレ洗浄水、入浴水、雑水等として、再利用するシステムを組込めば、洗面台１０に必要なランニングコストも廉価なものとなり、コストパフォーマンスが良いものとなる。
【００５１】
また、本実施例では、シリンダ２０を作動させる切換レバー１００を動作させる操作部１２８が洗面台本体１２のカバー部１８の一部に形成され、外方からカバー部１８の前面側に力が作用したときに、洗面台本体１２が昇降する構造になっている。そのため、本実施例にかかる洗面台１０では、たとえば車椅子利用者が誤った操作をして洗面台本体１２が膝等の上に下降した場合でも、洗面台本体１２が膝等に接触すると、洗面台本体１２が膝等の接触物から退避し、その状態で停止する。したがって、洗面台本体１２，洗面ボール内の水等の重量等が膝などに圧し掛かり、怪我をすることを防止することができる。
【００５２】
すなわち、特に、たとえば図１２および図１３に示すように、下降してきた洗面台本体１２のカバー部１８が膝２００に接触したとき、カバー部１８の底面１８ａが撓むため、カバー部１８に反発力が生じる。この反発力により、カバー部１８は、枢軸部１３を支点にして、その前面側が上方へ回動・変位する。そのため、切換レバー１００の作動アーム１０６が動作し、シリンダ２０が作動する。したがって、洗面台本体１２は、図１４に示すように、上昇し、膝２００から離れる。そして、切換レバー１００の作動アーム１０６が中立状態になったときに、図１５に示すように、その位置で洗面台本体１２は停止する。なお、カバー部１８の撓みによる変位量は、微小なもので、前記した一連の動作は、瞬時に行なわれるものである。
【００５３】
また、本実施例にかかる洗面台１０では、たとえば図１６に示すように、シリンダ支持ブラケット３２の取付位置を上下にたとえば２７０ｍｍ程度移動可能に調整できるので、洗面台１０を壁面Ｗの所定の位置に取付けた後でも、洗面台本体１２の昇降範囲を所定の範囲内で適宜変更することができる。
【００５４】
この場合、洗面台本体１２の昇降範囲は、シリンダ２０のピストンロッド２０Ｂのストローク（本実施例では、たとえば２５０ｍｍ程度）により規定されるが、シリンダ支持ブラケット３２のボルト等の締結手段４８（たとえば図１，図３参照）を緩めてシリンダ支持ブラケット３２を所定の範囲（本実施例では、たとえば２７０ｍｍ程度）で上下動させることができる。
【００５５】
したがって、図１６に示すように、洗面台本体１２をチェーン等の吊下げ具７４で吊ることにより、所定の場所にガイドレールポスト２２，２４を配置した後でも、つまり、洗面台全体１２を設置した後でも、洗面台本体１２の昇降範囲の基準位置を所定の範囲内で、適宜、変更することができる。すなわち、シリンダ２０のピストンロッド２０Ｂのストロークの有効範囲を調整することによって、牽いては、洗面台本体１２の有効昇降範囲を調整することができる。
【００５６】
さらに、シリンダ２０のロッドキャップ２０Ｃの軸方向の長さを適宜変えることによって、シリンダ支持ブラケット３２を移動させなくても、容易にシリンダ２０のピストンロッド２０Ｂのストロークの基準位置をロッドキャップ２０Ｃの軸方向の長さの範囲内で、適宜、調整・変更することができる。
【００５７】
そのため、本実施例にかかる洗面台１０では、たとえば子供の成長や家族の高齢化などにより、使用者の最適な昇降範囲が変化した場合でも、たとえば図１７，図１８，図１９に示すように、それに容易に対応することができる。しかも、この場合、壁面Ｗへの洗面台１２の取付け直しに際して、壁面Ｗに多数の取付け孔（図示せず）を開ける必要も極めて削減されるため、壁面Ｗに多数の取付け孔（図示せず）の傷跡を残すこともない。
【００５８】
さらに、本実施例にかかる洗面台１０では、たとえば図２０に示すように、シリンダ支持ブラケット３２の割子部３６，３８を支持ブラケット本体３４から離間させれば、シリンダ２０をシリンダ支持ブラケット３２から極めて容易に取外すことができる。シリンダ２０をシリンダ支持ブラケット３２から取外す場合、先ず、シリンダ２０を上限位置に移動させ、洗面台本体１２をチェーン等の吊下げ具７４で吊下げる。次に、シリンダ支持ブラケット３２と割子３６，３８との間のボルト等の締結手段４８を緩めて、シリンダ支持ブラケット３２をガイドレールポスト２２，２４に沿って下方に移動させる。その後、シリンダ２０は、シリンダ支持ブラケット３２の嵌合・支持部４０，４２から引抜かれる。
【００５９】
したがって、シリンダ２０の取外しおよび交換が容易に行なえる。そのため、シリンダ２０自体のメンテナンスが容易に行え、パッキン類等の消耗品を簡単に取換えることができ、結果的に、シリンダ２０のランニングコストも抑制することができる。
【００６０】
上述の実施例では、切換レバー１００の作動アーム１０６が鉛直方向に延び設けられているが、この切換レバー１００は、それに限定されるものではなく、たとえば図２１に示すように、作動アーム１０６が水平方向に延び設けられるように、切換レバー１００を配置するようにしてもよい。
【００６１】
なお、上述の実施例において、シリンダ２０のストロークやピストンの径を変更することにより、洗面台本体１２の昇降範囲を大きくしたり、洗面台本体１２の大きさにも適宜対応することができる。
また、上述の実施例では、所定の圧力を有する作動水として、たとえば水道水が用いられたが、それに限定されるものではなく、作動水としては、水道水以外にも、たとえば所定の圧力を有する圧力水であればよく、その場合、本実施例と同様の作用・効果を奏するものである。
【００６２】
【発明の効果】
本願発明によれば、安全性に優れ、静かで、誰にでも使い勝手のよい経済的な洗面台が得られる。
【図面の簡単な説明】
【図１】本願発明にかかる洗面台の一例を示す斜視図である。
【図２】図１に示す実施例の洗面台を背面側からみたときの要部斜視図である。
【図３】図１に示す実施例の洗面台を側面側からみたときの要部図解図である。
【図４】図３の要部を分解した側面図解図である。
【図５】図１に示す実施例の洗面台の正面側要部を示す拡大側面図解図である。
【図６】図１に示す実施例の洗面台の背面側要部を示す拡大側面図解図である。
【図７】図１に示す実施例の洗面台を背面側からみたときの要部斜視図である。
【図８】図１に示す実施例の洗面台を昇降させるための駆動機構の一例を示す要部図解図である。
【図９】図８に示す駆動機構の要部およびその作動状態（洗面台停止状態）を示す拡大図解図である。
【図１０】図８に示す駆動機構の要部および他の作動状態（洗面台上昇状態）を示す拡大図解図である。
【図１１】図８に示す駆動機構の要部およびさらに他の作動状態（洗面台下降状態）を示す拡大図解図である。
【図１２】図１に示す実施例の洗面台における安全性の一例を示す要部側面図解図である。
【図１３】図１２での洗面台における作動状態の要部を示す拡大側面図解図である。
【図１４】図１２での洗面台における他の作動状態の要部を示す拡大側面図解図である。
【図１５】図１２での洗面台におけるさらに他の作動状態の要部を示す拡大側面図解図である。
【図１６】図１に示す実施例の洗面台に適用されるシリンダの取付位置を変更する変更手段の一例を示す斜視図である。
【図１７】図１６に示す変更手段によりシリンダを所定の位置に設定した状態を示す要部側面図解図である。
【図１８】図１６に示す変更手段によりシリンダを他の所定の位置に設定した状態を示す要部側面図解図である。
【図１９】図１６に示す変更手段によりシリンダをさらに他の所定の位置に設定した状態を示す要部側面図解図である。
【図２０】図１に示す実施例の洗面台に適用されるシリンダを適宜取外した状態を示す要部斜視図である。
【図２１】図８で示された洗面台を昇降させるための駆動機構の変形例を示す要部図解図である。
【符号の説明】
１０  洗面台
１２  洗面台本体
１３  枢軸部
１４  洗面ボール
１６  洗面ボール受け台
１８  カバー部
２０  アクチュエータ（シリンダ）
２２，２４  ガイドレールポスト
３２  シリンダ支持ブラケット
３４  支持ブラケット本体
３６,３８  割子部
４８  締結手段
５２，５４  ガイドローラ部
８０  方向制御弁
９４  逆止め弁
１００  切換レバー
１０６  作動アーム
１２０  保持手段
１２２  バネ
１２８  操作部
【図１】
0003839275.tif 000002
【図２】
0003839275.tif 000003
【図３】
0003839275.tif 000004
【図４】
0003839275.tif 000005
【図５】
0003839275.tif 000006
【図６】
0003839275.tif 000007
【図７】
0003839275.tif 000008
【図８】
0003839275.tif 000009
【図９】
0003839275.tif 000010
【図１０】
0003839275.tif 000011
【図１１】
0003839275.tif 000012
【図１２】
0003839275.tif 000013
【図１３】
0003839275.tif 000014
【図１４】
0003839275.tif 000015
【図１５】
0003839275.tif 000016
【図１６】
0003839275.tif 000017
【図１７】
0003839275.tif 000018
【図１８】
0003839275.tif 000019
【図１９】
0003839275.tif 000020
【図２０】
0003839275.tif 000021
【図２１】
0003839275.tif 000022